(57)【要約】【課題】通信事業者によって提供される無線通信ネットワークの接続情報（ＰＲＬ）と、ユーザによって追加される無線通信ネットワークに関する情報とを効率的に管理することができる無線通信端末を提供する。【解決手段】無線通信端末１００は、通信事業者によって提供される通信事業者提供ＷＬＡＮとの接続に用いられるＰＲＬリストＬ１を記憶し、通信事業者が内容を書き換えることができる記憶部１１７１と、無線通信端末のユーザによって登録されるユーザ登録ＷＬＡＮとの接続に用いられるユーザ登録リストＬ２を記憶し、ユーザが書き換えることができる記憶部１１７２とを備える。無線通信端末１００は、ＰＲＬリストＬ１及びユーザ登録リストＬ２に基づいて、通信事業者提供ＷＬＡＮまたはユーザ登録ＷＬＡＮを選択する。【選択図】図５
2008141267.tif 000002
【特許請求の範囲】
【請求項１】
条件に応じて複数の無線通信ネットワークを使い分けることができる無線通信端末であって、
通信事業者によって提供される無線通信ネットワークである通信事業者提供ネットワークとの接続に用いられる第１接続情報を記憶し、前記通信事業者が内容を書き換えることができる第１記憶部と、
前記通信事業者以外によって提供される無線通信ネットワークであって、前記無線通信端末のユーザによって登録されるユーザ登録ネットワークとの接続に用いられる第２接続情報を記憶し、前記ユーザが書き換えることができる第２記憶部と、
前記第１記憶部に記憶されている前記第１接続情報、及び前記第２記憶部に記憶されている前記第２接続情報に基づいて、前記通信事業者提供ネットワークまたは前記ユーザ登録ネットワークを選択するネットワーク制御部と
を備える無線通信端末。
【請求項２】
前記通信事業者は、音声通話に用いられる回線交換型の無線通信ネットワークである通信事業者提供回線交換ネットワークをさらに提供し、
前記通信事業者提供ネットワークは、前記無線通信端末に対する前記音声通話の着信を前記無線通信端末に通知し、
前記ネットワーク制御部は、前記ユーザ登録ネットワークよりも前記通信事業者提供ネットワークを優先して選択する請求項１に記載の無線通信端末。
【請求項３】
前記ネットワーク制御部は、前記第１記憶部に記憶されている前記第１接続情報に基づいて、前記通信事業者提供ネットワークとの接続処理を実行する請求項１または２に記載の無線通信端末。
【請求項４】
前記ネットワーク制御部は、前記通信事業者提供ネットワークに接続できないと判定した場合、前記ユーザ登録ネットワークとの接続処理を実行する請求項３に記載の無線通信端末。
【請求項５】
前記ネットワーク制御部は、前記通信事業者提供ネットワークに接続できないと判定した場合、前記通信事業者提供回線交換ネットワークとの接続処理を実行する請求項３または４に記載の無線通信端末。
【請求項６】
前記ネットワーク制御部は、
所定の周期で前記通信事業者提供ネットワークとの接続処理を実行し、
前記通信事業者提供ネットワークに接続可能と判定した場合、前記ユーザ登録ネットワークとの接続処理を中止する請求項４に記載の無線通信端末。
【請求項７】
前記ネットワーク制御部は、
所定の周期で前記通信事業者提供ネットワークとの接続処理を実行し、
前記通信事業者提供ネットワークに接続可能と判定した場合、前記通信事業者提供回線交換ネットワークとの接続処理を中止する請求項５に記載の無線通信端末。
【発明の詳細な説明】
【技術分野】
【０００１】
本発明は、条件に応じて複数の無線通信ネットワークを使い分けることができる無線通信端末に関する。
【背景技術】
【０００２】
近年、無線通信技術の進展に伴って、無線通信端末が、条件（例えば、通信速度）に応じて複数の無線通信ネットワーク（例えば、携帯電話網と無線ＬＡＮ）を使い分ける環境が整いつつある。そこで、複数の無線通信ネットワークを使い分ける、いわゆるローミング機能を無線通信端末に備える方法が知られている（例えば、特許文献１）。
【０００３】
無線通信端末は、各無線通信ネットワークの識別情報、優先度、地域及び使用周波数などを含む接続情報、具体的には、Preferred Roaming List（ＰＲＬ）をフラッシュなどによって構成される記憶部に記憶する。無線通信端末は、ＰＲＬの内容に基づいて適切な無線通信ネットワークを選択する。
【０００４】
ＰＲＬの内容は、一般的に、通信事業者（例えば、無線通信端末を提供する通信事業者）のみが書き換えることができる。また、無線通信端末のユーザは、当該通信事業者以外によって提供される無線通信ネットワーク（例えば、公衆無線ＬＡＮ）を選択するために必要な情報（例えば、ＳＳＩＤ）をＰＲＬに追加することができる。
【特許文献１】“IP Based Over-the-Air Device Management (IOTA-DM) for cdma2000 Systems 3GPP2 C.S0064-0 Version 1.0”、３ＧＰＰ２、２００５年９月
【発明の開示】
【発明が解決しようとする課題】
【０００５】
しかしながら、上述した従来の無線通信端末には、次のような問題があった。すなわち、無線通信端末のユーザが利用する公衆無線ＬＡＮなどの情報をＰＲＬに追加しても、通信事業者によってＰＲＬが書き換えられた場合、当該ユーザによって追加された公衆無線ＬＡＮなどの情報が消滅してしまう。このため、無線通信端末のユーザは、あらためて利用する公衆無線ＬＡＮなどの情報を追加しなければならないといった問題があった。
【０００６】
そこで、本発明は、このような状況に鑑みてなされたものであり、通信事業者によって提供される無線通信ネットワークの接続情報（ＰＲＬ）と、ユーザによって追加される無線通信ネットワークに関する情報とを効率的に管理することができる無線通信端末を提供することを目的とする。
【課題を解決するための手段】
【０００７】
上述した問題を解決するため、本発明は、次のような特徴を有している。まず、本発明の第１の特徴は、条件（例えば、通信速度）に応じて複数の無線通信ネットワーク（無線通信ネットワーク１０，２０，２１）を使い分けることができる無線通信端末（無線通信端末１００）であって、通信事業者（通信事業者ＯＰ）によって提供される無線通信ネットワークである通信事業者提供ネットワーク（無線通信ネットワーク２０）との接続に用いられる第１接続情報（ＰＲＬリストＬ１）を記憶し、前記通信事業者が内容を書き換えることができる第１記憶部（記憶部１１７１）と、前記通信事業者以外によって提供される無線通信ネットワークであって、前記無線通信端末のユーザによって登録されるユーザ登録ネットワーク（無線通信ネットワーク２１）との接続に用いられる第２接続情報（ユーザ登録リストＬ２）を記憶し、前記ユーザが書き換えることができる第２記憶部（記憶部１１７２）と、前記第１記憶部に記憶されている前記第１接続情報、及び前記第２記憶部に記憶されている前記第２接続情報に基づいて、前記通信事業者提供ネットワークまたは前記ユーザ登録ネットワークを選択するネットワーク制御部（ＣＰＵ１２０）とを備えることを要旨とする。
【０００８】
このような無線通信端末によれば、通信事業者よって提供される通信事業者提供ネットワークとの接続に用いられる第１接続情報は、通信事業者が内容を書き換えることができる第１記憶部に記憶される。また、無線通信端末のユーザによって登録されるユーザ登録ネットワークとの接続に用いられる第２接続情報は、ユーザが書き換えることができる第２記憶部に記憶される。
【０００９】
このため、第１接続情報が通信事業者によって書き換えられても、無線通信端末のユーザによって登録されるユーザ登録ネットワークとの接続に用いられる第２接続情報は消滅しない。すなわち、このような無線通信端末によれば、通信事業者によって提供される無線通信ネットワークの接続情報（ＰＲＬ）と、ユーザによって追加される無線通信ネットワークに関する情報とを効率的に管理することができる。
【００１０】
本発明の第２の特徴は、本発明の第１の特徴に係り、前記通信事業者は、音声通話に用いられる回線交換型の無線通信ネットワークである通信事業者提供回線交換ネットワーク（無線通信ネットワーク１０）をさらに提供し、前記通信事業者提供ネットワークは、前記無線通信端末に対する前記音声通話の着信を前記無線通信端末に通知し、前記ネットワーク制御部は、前記ユーザ登録ネットワークよりも前記通信事業者提供ネットワークを優先して選択することを要旨とする。
【００１１】
本発明の第３の特徴は、本発明の第１または第２の特徴に係り、前記ネットワーク制御部は、前記第１記憶部に記憶されている前記第１接続情報に基づいて、前記通信事業者提供ネットワークとの接続処理を実行することを要旨とする。
【００１２】
本発明の第４の特徴は、本発明の第３の特徴に係り、前記ネットワーク制御部は、前記通信事業者提供ネットワークに接続できないと判定した場合、前記ユーザ登録ネットワークとの接続処理を実行することを要旨とする。
【００１３】
本発明の第５の特徴は、本発明の第３または第４の特徴に係り、前記ネットワーク制御部は、前記通信事業者提供ネットワークに接続できないと判定した場合、前記通信事業者提供回線交換ネットワークとの接続処理を実行することを要旨とする。
【００１４】
本発明の第６の特徴は、本発明の第４の特徴に係り、前記ネットワーク制御部は、所定の周期（例えば、１０秒）で前記通信事業者提供ネットワークとの接続処理を実行し、前記通信事業者提供ネットワークに接続可能と判定した場合、前記ユーザ登録ネットワークとの接続処理を中止することを要旨とする。
【００１５】
本発明の第７の特徴は、本発明の第５の特徴に係り、前記ネットワーク制御部は、所定の周期で前記通信事業者提供ネットワークとの接続処理を実行し、前記通信事業者提供ネットワークに接続可能と判定した場合、前記通信事業者提供回線交換ネットワークとの接続処理を中止することを要旨とする。
【発明の効果】
【００１６】
本発明の特徴によれば、通信事業者によって提供される無線通信ネットワークの接続情報（ＰＲＬ）と、ユーザによって追加される無線通信ネットワークに関する情報とを効率的に管理することができる無線通信端末を提供することができる。
【発明を実施するための最良の形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（通信システムの全体概略構成）
図１は、本実施形態に係る通信システム１の全体概略構成図である。図１に示すように、通信システム１は、無線通信ネットワーク１０、無線通信ネットワーク２０及び無線通信ネットワーク２１によって構成される。また、通信システム１には、無線通信端末１００が含まれる。なお、通信システム１を構成する無線通信ネットワークの数量、及び通信システム１に含まれる無線通信端末１００の数量は、図１に示す数量に限定されるものではない。
【００２０】
無線通信ネットワーク１０は、ＣＤＭＡ方式にしたがった無線通信ネットワーク、具体的には、回線交換型の無線通信ネットワークであるｃｄｍａ２０００ １ｘ方式にしたがった無線通信ネットワークである。無線通信ネットワーク１０には、無線通信端末１００と無線通信を実行する無線基地局１０ａが含まれる。
【００２１】
無線通信ネットワーク２０は、ＩＥＥＥ８０２．１１ｇなどの無線ＬＡＮ方式にしたがった無線通信ネットワークである。無線通信ネットワーク２０には、無線通信端末１００と無線通信を実行する無線基地局２０ａが含まれる。
【００２２】
無線通信ネットワーク１０及び無線通信ネットワーク２０は、通信事業者ＯＰによって提供される。具体的には、通信事業者ＯＰは、無線通信ネットワーク１０及び無線通信ネットワーク２０を運用し、音声通話やパケット通信などの通信サービスを提供する。無線通信ネットワーク１０は、音声通話に用いられる。無線通信ネットワーク２０は、音声通話（ＩＰ電話）及びパケット通信に用いられる。
【００２３】
本実施形態において、無線通信ネットワーク１０は、通信事業者提供回線交換ネットワークを構成する。また、無線通信ネットワーク２０は、通信事業者提供ネットワークを構成する。
【００２４】
本実施形態では、無線通信ネットワーク２０は、無線通信端末１００に対する音声通話の着信を無線通信端末１００に通知することができる。すなわち、無線通信端末１００に対する音声通話の着信は、無線通信ネットワーク１０及び無線通信ネットワーク２０を経由して無線通信端末１００に通知することができる。
【００２５】
無線通信ネットワーク２１は、ＩＥＥＥ８０２．１１ｇなどの無線ＬＡＮ方式にしたがった無線通信ネットワークである。無線通信ネットワーク２１には、無線通信端末１００と無線通信を実行する無線基地局２１ａが含まれる。
【００２６】
無線通信ネットワーク２１は、通信事業者ＯＰ以外によって提供される。本実施形態では、無線通信ネットワーク２１は、通信事業者ＯＰ以外によって提供され、店舗内などを対象とした公衆無線ＬＡＮである。なお、無線通信ネットワーク２１は、無線通信端末１００のユーザの自宅などに構築された無線ＬＡＮであってもよい。
【００２７】
無線通信ネットワーク２１との接続に用いられる情報、具体的には、ユーザ登録リストＬ２（図５（ｂ）参照）の内容は、無線通信端末１００のユーザによって登録される。本実施形態では、無線通信ネットワーク２１は、ユーザ登録ネットワークを構成する。
【００２８】
無線通信端末１００は、条件（例えば、通信速度）に応じて、無線通信ネットワーク１０、無線通信ネットワーク２０及び無線通信ネットワーク２１を使い分けることができる。具体的には、無線通信端末１００は、メモリ１１７（図２参照）に記憶されているＰＲＬリストＬ１またはユーザ登録リストＬ２（図５（ｂ）参照）の内容に基づいて、無線通信ネットワーク１０、無線通信ネットワーク２０または無線通信ネットワーク２１の何れかを選択する。なお、無線通信端末１００による無線通信ネットワークの選択方法については、後述する。
【００２９】
（無線通信端末のブロック構成）
図２は、無線通信端末１００のブロック構成図である。図２に示すように、無線通信端末１００は、アンテナ１０１、パワーアンプ１０３、ＲＦ／ＩＦ変換器１０５、ベースバンドプロセッサ１０７、コーデック部１０９、音声入出力部１１１、映像入出力部１１３、近距離無線通信部１１５、メモリ１１７、操作部１１９及びＣＰＵ１２０を備える。
【００３０】
アンテナ１０１、パワーアンプ１０３、ＲＦ／ＩＦ変換器１０５及びベースバンドプロセッサ１０７は、無線基地局１０ａとの無線通信を実行するために用いられる。
【００３１】
アンテナ１０１は、所定の周波数帯域の無線信号を送受信する。パワーアンプ１０３は、ＲＦ／ＩＦ変換器１０５から出力された送信無線信号を増幅する。
【００３２】
ＲＦ／ＩＦ変換器１０５は、無線周波数（ＲＦ）と中間周波数（ＩＦ）との変換を実行する。ベースバンドプロセッサ１０７は、所定の変調方式（ＰＳＫやＱＡＭなど）にしたがって、ベースバンド信号の変調などを実行する。
【００３３】
コーデック部１０９は、音声コーデック部１０９Ａと映像コーデック部１０９Ｂとを有する。音声コーデック部１０９Ａは、所定の音声符号化方式（例えば、ＥＶＲＣ）に基づいて音声信号の符号化及び復号を実行する。映像コーデック部１０９Ｂは、所定の映像符号化方式（例えば、ＭＰＥＧ−４）に基づいて映像信号の符号化及び復号を実行する。
【００３４】
音声入出力部１１１は、マイク１１１Ａとスピーカ１１１Ｂとを有する。音声入出力部１１１は、音声コーデック部１０９Ａと接続されている。映像入出力部１１３は、カメラ１１３Ａと表示部１１３Ｂとを有する。映像入出力部１１３は、映像コーデック部１０９Ｂと接続されている。
【００３５】
近距離無線通信部１１５は、ＩＥＥＥ８０２．１１ｇなどの無線ＬＡＮにしたがった無線通信を実行する。具体的には、近距離無線通信部１１５は、無線基地局２０ａまたは無線基地局２１ａと無線通信を実行することができる。
【００３６】
メモリ１１７は、ＣＰＵ１２０において実行される各種のプログラムや、ユーザによって登録された情報などを記憶する。また、メモリ１１７は、無線通信端末１００が現在接続している無線通信ネットワークの情報を記憶する。
【００３７】
図５（ａ）は、メモリ１１７の概略内部構成図である。図５（ａ）に示すように、メモリ１１７は、記憶部１１７１と記憶部１１７２とを有する。また、図５（ｂ）に示すように、記憶部１１７１には、ＰＲＬリストＬ１（第１接続情報）が記憶される。ＰＲＬリストＬ１は、無線通信ネットワーク１０及び無線通信ネットワーク２０との接続に用いられる。つまり、ＰＲＬリストＬ１には、無線通信ネットワーク１０、及び無線通信ネットワーク１０と連携して無線通信端末１００に対する音声通話の着信を通知することができる無線通信ネットワーク２０に関する情報が含まれる。
【００３８】
具体的には、無線通信ネットワーク２０に関して、無線ＬＡＮ規格及びチャネルの情報が、ＰＲＬリストＬ１を構成するAcquisition Recordに記載される。また、無線ＬＡＮのＳＳＩＤ及び認証に関する情報（ＷＥＰ，ＷＰＡなど）がSystem Recordに記載される。
【００３９】
ＰＲＬリストＬ１の内容は、通信事業者ＯＰのみが書き換えることができる。つまり、無線通信端末１００のユーザは、ＰＲＬリストＬ１の内容を書き換えることができない。本実施形態において、記憶部１１７１は、第１記憶部を構成する。
【００４０】
記憶部１１７２には、ユーザ登録リストＬ２（第２接続情報）が記憶される。ユーザ登録リストＬ２は、無線通信ネットワーク２１との接続に用いられる。具体的には、無線ＬＡＮ規格、無線ＬＡＮのＳＳＩＤ及び認証に関する情報（ＷＥＰ，ＷＰＡなど）がユーザ登録リストＬ２に記載される。
【００４１】
ユーザ登録リストＬ２の内容は、無線通信端末１００のユーザが書き換えることができる。本実施形態において、記憶部１１７２は、第２記憶部を構成する。
【００４２】
操作部１１９は、文字や数字などを入力する入力キー、通話を開始するための発呼キー、着信（呼び出し）に応答するための応答キーなどによって構成されたキー群である。また、操作部１１９は、各キーが押下されると、押下されたキーに対応する信号をＣＰＵ１２０に出力する。
【００４３】
ＣＰＵ１２０は、ベースバンドプロセッサ１０７、コーデック部１０９、映像入出力部１１３、近距離無線通信部１１５、メモリ１１７及び操作部１１９の各ブロックと接続されている。ＣＰＵ１２０は、メモリ１１７に記憶されているプログラムを実行することによって、当該ブロックとのデータの送受信や、当該ブロックの制御を実行する。
【００４４】
特に、本実施形態では、ＣＰＵ１２０は、メモリ１１７の記憶部１１７１（図５（ａ）参照）に記憶されているＰＲＬリストＬ１、及びメモリ１１７の記憶部１１７２に記憶されているユーザ登録リストＬ２に基づいて、無線通信ネットワーク２０または無線通信ネットワーク２１を選択する。本実施形態において、ＣＰＵ１２０は、ネットワーク制御部を構成する。
【００４５】
また、本実施形態では、ＣＰＵ１２０は、無線通信端末１００のユーザによって登録された無線通信ネットワーク２１よりも、通信事業者ＯＰによって提供される無線通信ネットワーク２０を優先して選択することができる。
【００４６】
具体的には、ＣＰＵ１２０は、記憶部１１７１に記憶されているＰＲＬリストＬ１に基づいて、無線通信ネットワーク２０との接続処理を実行する。
【００４７】
ＣＰＵ１２０は、無線通信ネットワーク２０に接続できないと判定した場合、無線通信ネットワーク２１との接続処理を実行する。具体的には、ＣＰＵ１２０は、無線基地局２０ａから送信される無線信号の受信信号強度（ＲＳＳＩ）に基づいて、無線通信ネットワーク２０に接続できるか否かを判定する。
【００４８】
また、ＣＰＵ１２０は、無線通信ネットワーク２０に接続できないと判定した場合以降も所定の周期（例えば、１０秒）で無線通信ネットワーク２０との接続処理を実行する。具体的には、ＣＰＵ１２０は、無線基地局２０ａから送信される無線信号を受信できるか否かを判定する。ＣＰＵ１２０は、所定の閾値以上のＲＳＳＩを有する無線信号を受信した場合、無線基地局２０ａとService Set Identifier（ＳＳＩＤ）やＷＥＰキーなどの設定を実行する。
【００４９】
ＣＰＵ１２０は、無線通信ネットワーク２０に接続可能と判定した場合、無線通信ネットワーク２１との接続処理を中止する。つまり、無線通信ネットワーク２０または無線通信ネットワーク２１の何れの無線通信ネットワークとも接続できない場合、ＣＰＵ１２０は、無線通信ネットワーク２０及び無線通信ネットワーク２１との接続処理を所定の周期で繰り返す。無線通信ネットワーク２１よりも先に、無線通信ネットワーク２０に接続可能と判定した場合、ＣＰＵ１２０は、所定の周期で繰り返していた無線通信ネットワーク２１との接続処理を中止する。
【００５０】
また、ＣＰＵ１２０は、無線通信ネットワーク２０に接続できないと判定した場合、通信事業者ＯＰによって提供される無線通信ネットワーク１０との接続処理を実行することもできる。具体的には、ＣＰＵ１２０は、無線基地局１０ａから所定の周期（例えば、５．１２秒）で送信されるページングチャネルを受信できるか否かを判定する。ＣＰＵ１２０は、ページングチャネルを受信した場合、無線基地局１０ａと通信チャネルの設定などを実行する。
【００５１】
さらに、ＣＰＵ１２０は、無線通信ネットワーク２０に接続可能と判定した場合、無線通信ネットワーク１０との接続処理を中止する。つまり、ＣＰＵ１２０は、無線通信ネットワーク１０または無線通信ネットワーク２０の何れの無線通信ネットワークとも接続できない場合、無線通信ネットワーク１０及び無線通信ネットワーク２０との接続処理を所定の周期で繰り返す。無線通信ネットワーク１０よりも先に、無線通信ネットワーク２０に接続可能と判定した場合、ＣＰＵ１２０は、所定の周期で繰り返していた無線通信ネットワーク１０との接続処理を中止する。
【００５２】
なお、ＣＰＵ１２０は、無線通信ネットワーク２０に接続できないと判定した場合、無線通信ネットワーク１０及び無線通信ネットワーク２１との接続処理を所定の周期で繰り返してもよい。
【００５３】
（通信システムの動作）
次に、上述した通信システム１の動作について説明する。具体的には、無線通信端末１００による無線通信ネットワークの選択動作（ローミング動作）の例について説明する。
【００５４】
なお、以下の説明では、無線通信ネットワーク１０、無線通信ネットワーク２０及び無線通信ネットワーク２１を次のように表現する。
【００５５】
・無線通信ネットワーク１０：  回線交換ネットワーク
・無線通信ネットワーク２０：  通信事業者提供ＷＬＡＮ
・無線通信ネットワーク２１：  ユーザ登録ＷＬＡＮ
【００５６】
（１）動作例１
図３は、無線通信端末１００による無線通信ネットワークの選択動作例を示す。図３に示すように、ステップＳ１０において、無線通信端末１００は、無線ＬＡＮ（ＷＬＡＮ）が必要か否かを判定する。無線通信端末１００は、例えば、アプリケーション（例えば、ＩＰ−ＴＶ電話）が要求する通信速度に基づいて、無線ＬＡＮが必要か否かを判定する。
【００５７】
無線ＬＡＮが必要と判定された場合（ステップＳ１０のＹＥＳ）、ステップＳ２０において、無線通信端末１００は、通信事業者提供ＷＬＡＮに接続可能か否かを判定する。具体的には、無線通信端末１００は、無線基地局２０ａから送信される無線信号の受信信号強度（ＲＳＳＩ）に基づいて、無線通信ネットワーク２０に接続できるか否かを判定する。
【００５８】
無線ＬＡＮが不要と判定された場合（ステップＳ１０のＮＯ）、ステップＳ３０において、無線通信端末１００は、ＰＲＬリストＬ１（図５（ｂ）参照）に記載されている無線ＬＡＮ以外のネットワークであって、音声通話の着信を通知することができるネットワーク、例えば、回線交換ネットワークを選択する。具体的には、無線通信端末１００は、無線基地局１０ａと通信チャネルの設定などを実行する。
【００５９】
通信事業者提供ＷＬＡＮに接続可能な場合（ステップＳ２０のＹＥＳ）、ステップＳ４０において、無線通信端末１００は、ＰＲＬリストＬ１を参照して、通信事業者提供ＷＬＡＮを選択する。具体的には、無線通信端末１００は、無線基地局２０ａとService Set Identifier（ＳＳＩＤ）やＷＥＰキーなどの設定を実行する。
【００６０】
ステップＳ５０において、無線通信端末１００は、アプリケーションが要求するサービス条件（通信速度）を満足したか否かを判定する。
【００６１】
アプリケーションが要求するサービス条件を満足しない場合（ステップＳ５０のＮＯ）、ステップＳ６０において、無線通信端末１００は、ユーザ登録ＷＬＡＮに接続可能か否かを判定する。具体的には、無線通信端末１００は、無線基地局２１ａから送信される無線信号の受信信号強度（ＲＳＳＩ）に基づいて、無線通信ネットワーク２１に接続できるか否かを判定する。
【００６２】
ユーザ登録ＷＬＡＮに接続可能な場合（ステップＳ６０のＹＥＳ）、ステップＳ７０において、無線通信端末１００は、ユーザ登録リストＬ２（図５（ｂ）参照）を参照して、ユーザ登録ＷＬＡＮを選択する。具体的には、無線通信端末１００は、無線基地局２１ａとService Set Identifier（ＳＳＩＤ）やＷＥＰキーなどの設定を実行する。
【００６３】
ステップＳ８０において、無線通信端末１００は、アプリケーションが要求するサービス条件（通信速度）を満足したか否かを判定する。
【００６４】
アプリケーションが要求するサービス条件を満足しない場合（ステップＳ８０のＮＯ）、ステップＳ９０において、無線通信端末１００は、ユーザ登録リストＬ２の最後尾のネットワーク（無線ＬＡＮ）まで選択したか否かを判定する。
【００６５】
ユーザ登録リストＬ２の最後尾のネットワーク（無線ＬＡＮ）まで選択した場合（ステップＳ９０のＹＥＳ）、ステップＳ１００において、無線通信端末１００は、選択したネットワーク（無線ＬＡＮ）を記録する。具体的には、無線通信端末１００は、選択した無線通信ネットワークの情報をメモリ１１７に記憶する。
【００６６】
また、アプリケーションが要求するサービス条件を満足した場合（ステップＳ５０のＹＥＳ）、及び無線通信端末１００が回線交換ネットワークを選択した場合（ステップＳ３０）も、無線通信端末１００は、選択した無線通信ネットワークの情報をメモリ１１７に記憶する。
【００６７】
無線通信端末１００がユーザ登録リストＬ２を参照して無線ＬＡＮを選択した場合（ステップＳ８０のＹＥＳ）、無線通信端末１００は、音声通話の着信の通知を受けるように回線交換ネットワークも同時に選択する。さらに、無線通信端末１００は、選択した無線通信ネットワークの情報をメモリ１１７に記憶する。
【００６８】
（２）動作例２
図４は、無線通信端末１００による無線通信ネットワークの他の選択動作例を示す。図４に示すように、ステップＳ２１０において、無線通信端末１００は、無線通信ネットワークへの接続要求があるか否かを判定する。例えば、無線通信端末１００は、ユーザによる音声通話サービスの開始に伴う無線通信ネットワークへの接続要求があるか否かを判定する。
【００６９】
無線通信ネットワークへの接続要求がある場合（ステップＳ２１０のＹＥＳ）、ステップＳ２２０において、無線通信端末１００は、ＰＲＬリストＬ１（図５（ｂ）参照）を参照する。
【００７０】
ステップＳ２３０において、無線通信端末１００は、ＰＲＬリストＬ１に含まれる通信事業者提供ＷＬＡＮとの接続処理を実行する。具体的には、無線通信端末１００は、無線基地局２０ａから送信される無線信号の受信信号強度（ＲＳＳＩ）に基づいて、無線通信ネットワーク２０に接続できるか否かを判定する。無線通信端末１００は、ＲＳＳＩが所定の閾値以上の場合、無線基地局２０ａとService Set Identifier（ＳＳＩＤ）やＷＥＰキーなどの設定を実行する。
【００７１】
ステップＳ２４０において、無線通信端末１００は、通信事業者提供ＷＬＡＮとの接続処理が完了したか否かを判定する。
【００７２】
通信事業者提供ＷＬＡＮとの接続処理が完了した場合（ステップＳ２４０のＹＥＳ）、ステップＳ２５０において、無線通信端末１００は、通信事業者提供ＷＬＡＮを選択し、音声通話サービスなどの通信サービスの提供に通信事業者提供ＷＬＡＮを用いる。
【００７３】
通信事業者提供ＷＬＡＮとの接続処理が完了しない場合（ステップＳ２４０のＮＯ）、例えば、無線基地局２０ａから送信される無線信号の受信信号強度（ＲＳＳＩ）が所定の閾値を下回る場合、ステップＳ２６０において、無線通信端末１００は、ユーザ登録リストＬ２（図５（ｂ）参照）を参照する。
【００７４】
ステップＳ２７０において、無線通信端末１００は、ユーザ登録リストＬ２に含まれるユーザ登録ＷＬＡＮとの接続処理を実行する。具体的には、無線通信端末１００は、無線基地局２１ａから送信される無線信号の受信信号強度（ＲＳＳＩ）に基づいて、無線通信ネットワーク２１に接続できるか否かを判定する。無線通信端末１００は、ＲＳＳＩが所定の閾値以上の場合、無線基地局２１ａとService Set Identifier（ＳＳＩＤ）やＷＥＰキーなどの設定を実行する。
【００７５】
ステップＳ２８０において、無線通信端末１００は、ユーザ登録リストＬ２に含まれるユーザ登録ＷＬＡＮとの接続処理が完了したか否かを判定する。
【００７６】
ユーザ登録ＷＬＡＮとの接続処理が完了した場合（ステップＳ２８０のＹＥＳ）、ステップＳ２９０において、無線通信端末１００は、ユーザ登録ＷＬＡＮを選択し、通信サービスの提供にユーザ登録ＷＬＡＮを用いる。
【００７７】
ユーザ登録ＷＬＡＮとの接続処理が完了しない場合（ステップＳ２８０のＮＯ）、無線通信端末１００は、ステップＳ２１０からの処理を繰り返す。
【００７８】
ステップＳ３００において、無線通信端末１００は、通信事業者提供ＷＬＡＮとの接続処理を中止する。また、ステップＳ３００において、無線通信端末１００は、回線交換ネットワークに接続し、音声通話の着信の通知を受けるようにしてもよい。
【００７９】
ステップＳ３１０において、無線通信端末１００は、ユーザ登録ＷＬＡＮの接続処理を実行中か否かを判定する。
【００８０】
ユーザ登録ＷＬＡＮの接続処理を実行中である場合（ステップＳ３１０のＹＥＳ）、ステップＳ３２０において、無線通信端末１００は、ユーザ登録ＷＬＡＮの接続処理を中止する。つまり、無線通信端末１００は、通信事業者提供ＷＬＡＮ（無線通信ネットワーク２０）またはユーザ登録ＷＬＡＮ（無線通信ネットワーク２１）の何れかとの接続処理が完了し、当該無線通信ネットワークを選択した場合、他方の無線通信ネットワークとの接続処理を中止する。
【００８１】
（作用・効果）
無線通信端末１００によれば、通信事業者ＯＰよって提供される通信事業者提供ＷＬＡＮ（無線通信ネットワーク２０）との接続に用いられるＰＲＬリストＬ１は、通信事業者ＯＰが内容を書き換えることができる記憶部１１７１に記憶される。また、無線通信端末１００のユーザによって登録されるユーザ登録ＷＬＡＮ（無線通信ネットワーク２１）との接続に用いられるユーザ登録リストＬ２は、ユーザが書き換えることができる記憶部１１７２に記憶される。
【００８２】
このため、ＰＲＬリストＬ１の内容が通信事業者ＯＰによって書き換えられても、無線通信端末１００のユーザによって登録されるユーザ登録ＷＬＡＮとの接続に用いられるユーザ登録リストＬ２の内容は消滅しない。すなわち、無線通信端末１００によれば、通信事業者ＯＰによって提供されるＰＲＬリストＬ１と、ユーザによって追加されるユーザ登録リストＬ２とを効率的に管理することができる。
【００８３】
本実施形態では、通信事業者提供ＷＬＡＮ（無線通信ネットワーク２０）は、無線通信端末１００に対する音声通話の着信を無線通信端末１００に通知することができる。また、無線通信端末１００（ＣＰＵ１２０）は、ユーザ登録ＷＬＡＮ（無線通信ネットワーク２１）よりも通信事業者提供ＷＬＡＮを優先して選択することができる。つまり、音声通話の着信を無線通信端末１００に通知することができる通信事業者提供ＷＬＡＮとの接続に用いられる情報は、ＰＲＬリストＬ１に含まれる。
【００８４】
このため、通信事業者ＯＰは、回線交換ネットワーク（無線通信ネットワーク１０）との接続に用いられる情報と、回線交換ネットワークと連携することができる通信事業者提供ＷＬＡＮとの接続に用いられる情報とをＰＲＬリストＬ１に含めることができる。つまり、通信事業者ＯＰは、ＰＲＬリストＬ１の内容を書き換えることによって回線交換ネットワーク及び当該回線交換ネットワークと連携することができる通信事業者提供ＷＬＡＮとの接続に用いられる情報を容易かつ確実に管理することができる。
【００８５】
本実施形態では、無線通信端末１００は、通信事業者提供ＷＬＡＮに接続できないと判定した場合、ユーザ登録ＷＬＡＮとの接続処理、及び／または回線交換ネットワークとの接続処理を実行することができる。このため、無線通信端末１００が通信事業者提供ＷＬＡＮに接続できない場合でも、無線通信端末１００は、接続可能な無線通信ネットワークを用いて無線通信を実行することができる。また、無線通信端末１００は、音声通話（例えば、ｃｄｍａ２０００１ｘ方式を用いる無線通信ネットワークを介して提供される音声通話）の着信の通知を受けることができる。
【００８６】
さらに、無線通信端末１００は、無線通信ネットワーク２０に接続できないと判定した場合以降も所定の周期（例えば、１０秒）で無線通信ネットワーク２０との接続処理を繰り返す。無線通信端末１００は、当該接続処理を繰り返している間に無線通信ネットワーク２０に接続可能と判定した場合、他の無線通信ネットワーク（例えば、無線通信ネットワーク２１）との接続処理を中止する。このため、無線通信端末１００が無線通信ネットワーク２０との接続後においても他の無線通信ネットワークとの接続処理を繰り返すことによる電力消費を抑制することができる。
【００８７】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８８】
例えば、上述した実施形態では、無線通信端末１００は、無線通信ネットワーク２０に接続可能と判定した場合、他の無線通信ネットワークとの接続処理を中止したが、無線通信端末１００は、当該接続処理を中止しなくても構わない。また、上述した実施形態では、無線通信端末１００は、通信事業者提供ＷＬＡＮに接続できないと判定した場合、ユーザ登録ＷＬＡＮとの接続処理、または回線交換ネットワークとの接続処理を実行したが、無線通信端末１００は、当該接続処理を必ずしも実行しなくてもよい。
【００８９】
上述した実施形態では、無線通信ネットワーク１０は、無線通信ネットワーク１０であったが、無線通信ネットワーク１０に代えて、ｃｄｍａ２０００１ｘ−ＥＶＤＯ方式など、パケット交換型の無線通信ネットワークを用いてもよい。
【００９０】
上述した実施形態では、無線ＬＡＮを例として説明したが、無線ＬＡＮに代えて、ＩＥＥＥ８０２．１６ｅ（モバイルＷｉＭＡＸ）にしたがった無線通信ネットワークであってもよい。
【００９１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９２】
【図１】本発明の実施形態に係る通信システムの全体概略構成図である。
【図２】本発明の実施形態に係る無線通信端末のブロック構成図である。
【図３】本発明の実施形態に係る無線通信端末による無線通信ネットワークの選択動作例を示す図である。
【図４】本発明の実施形態に係る無線通信端末による無線通信ネットワークの他の選択動作例を示す図である。
【図５】本発明の実施形態に係る無線通信端末の記憶部に記憶されるＰＲＬリスト（第１接続情報）及びユーザ登録リスト（第２接続情報）の一例を示す図である。
【符号の説明】
【００９３】
１…通信システム、１０，２０，２１…無線通信ネットワーク、１０ａ，２０ａ，２１ａ…無線基地局、１００…無線通信端末、１０１…アンテナ、１０３…パワーアンプ、１０５…ＲＦ／ＩＦ変換器、１０７…ベースバンドプロセッサ、１０９…コーデック部、１０９Ａ…音声コーデック部、１０９Ｂ…映像コーデック部、１１１…音声入出力部、１１１Ａ…マイク、１１１Ｂ…スピーカ、１１３…映像入出力部、１１３Ａ…カメラ、１１３Ｂ…表示部、１１５…近距離無線通信部、１１７…メモリ、１１７１，１１７２…記憶部、１１９…操作部、１２０…ＣＰＵ、Ｌ１…ＰＲＬリスト、Ｌ２…ユーザ登録リスト、ＯＰ…通信事業者
【図１】
2008141267.tif 000003
【図２】
2008141267.tif 000004
【図３】
2008141267.tif 000005
【図４】
2008141267.tif 000006
【図５】
2008141267.tif 000007